(57)【要約】【解決課題】予め加熱された第１のベルトと第２のベルトで用紙を挟持しつつ搬送することにより、未定着トナー像を用紙上に定着する定着装置において、ブリスターと呼ばれる画像欠陥が発生するのを防止可能とすることを課題とする。【解決手段】複数本のローラによって張架された加熱用の第１のベルト６９  と、複数本のローラによって張架された加圧用の第２のベルト７５によって、トナー画像を担持した記録媒体を挟持した状態で搬送しつつ、定着ニップ部７６の通過後からトナー画像が冷却されるまでの間、記録媒体と第１のベルトが密着した状態を維持して、記録媒体１６上に担持されたトナー画像を定着する定着装置であって、前記第２のベルト７６の記録媒体１６の剥離位置７７から定着ニップ部７６までの間に、当該第２のベルト７５を冷却する冷却手段９０を設けるように構成して課題を解決した。【選択図】  図１
2004205673.tif 000002
【特許請求の範囲】
【請求項１】
複数本のローラによって張架された加熱用の第１のベルトと、複数本のローラによって張架された加圧用の第２のベルトによって、トナー画像を担持した記録媒体を挟持した状態で搬送しつつ、定着ニップ部の通過後からトナー画像が冷却されるまでの間、記録媒体と第１のベルトが密着した状態を維持して、記録媒体上に担持されたトナー画像を定着する定着装置であって、
前記第２のベルトの記録媒体の剥離位置から定着ニップ部までの間に、当該第２のベルトを冷却する冷却手段を設けたことを特徴とする定着装置。
【請求項２】
前記第２のベルトの定着ニップ部突入時の温度が、９０℃以下となるように設定したことを特徴とする請求項１記載の定着装置。
【請求項３】
前記冷却手段は、第２のベルトを強制的に冷却する冷却ファンからなることを特徴とする請求項１又は２記載の定着装置。
【請求項４】
前記冷却手段は、第２のベルトに接触して冷却するヒートシンクからなることを特徴とする請求項１又は２記載の定着装置。
【請求項５】
複数本のローラによって張架された加熱用の第１のベルトと、複数本のローラによって張架された加圧用の第２のベルトによって、トナー画像を担持した記録媒体を挟持した状態で搬送しつつ、定着ニップ部の通過後からトナー画像が冷却されるまでの間、記録媒体と第１のベルトが密着した状態を維持して、記録媒体上に担持されたトナー画像を定着する定着装置であって、
前記第２のベルトの熱容量を、前記第１のベルトの熱容量よりも大きく設定したことを特徴とする定着装置。
【発明の詳細な説明】
【０００１】
【発明が属する技術分野】
この発明は、電子写真方式を適用した複写機、プリンタ、ファクシミリあるいはこれらの複合機等の画像形成装置に用いられる定着装置に関するものである。
【０００２】
【特許文献１】特開平４−１９９１６９号公報
【特許文献２】特開２００１−１１７３９７号公報
【０００３】
【従来の技術】
従来、上記電子写真方式を適用した複写機、プリンタ、ファクシミリあるいはこれらの複合機等の画像形成装置に用いられる定着装置としては、種々の方式のものが提案されており、既に製品化されてきているが、これらの定着装置のうち、２本のベルトと用紙を密着させたまま搬送・冷却することにより、非オフセット性を確保し、かつ光沢を有する画像を高速定着可能な装置として、特開平４−１９９１６９号公報に開示されているものがある。
【０００４】
この特開平４−１９９１６９号公報に係る定着装置は、ヒーターを内蔵した加熱ローラと第２のローラとで第１の定着ベルトを張架するとともに、加圧ローラと第３のローラで第２の定着ベルトを張架し、第１の定着ベルトと第２の定着ベルトのニップ部に用紙を挿入し、用紙と第１および第２の定着ベルトを所定時間密着させたまま搬送した後、剥離させるように構成したものである。
【０００５】
また、加熱側にのみ定着ベルトを用いた定着装置としては、特開２００１−１１７３９７号公報に開示されているものがある。
【０００６】
【発明が解決しようとする課題】
しかしながら、上記従来技術の場合には、次のような問題点を有している。すなわち、上記特開平４−１９９１６９号公報や特開２００１−１１７３９７号公報等に開示された定着装置の場合には、第１の定着ベルトと第２の定着ベルトのニップ部や、第１の定着ベルトとローラ転写器や加圧ローラのニップ部で加熱されたトナーや用紙は、ニップ部を通過した後も、ベルトの余熱により加熱される。このとき、上記定着装置では、第１の定着ベルトと第２の定着ベルトのニップ部等を通過した後は、ニップ部の加圧がない状態で加熱されるため、図  に示すように、用紙やトナー内の水蒸気や空気が膨張し、トナーと定着ベルトの密着を阻害して、部分的に両者を剥離させる現象が発生する。このトナーと定着ベルトとの剥離は、トナーが十分に冷却固化していない状態で起こるため、定着ベルトから剥離した部分と剥離していない部分で画像の表面状態（光沢等）が変化してしまい、一般にブリスターと呼ばれる画像欠陥が発生してしまうという問題点を有していた。
【０００７】
そこで、この発明は、上記従来技術の問題点を解決するためになされたものであり、その目的とするところは、予め加熱された第１のベルトと第２のベルトで用紙を挟持しつつ搬送することにより、未定着トナー像を用紙上に定着する定着装置において、ブリスターと呼ばれる画像欠陥が発生するのを防止可能とした定着装置を提供することにある。
【０００８】
【課題を解決するための手段】
上記目的を達成するためには、予め加熱された第１のベルトと第２のベルトで用紙を挟持しつつ搬送することにより、未定着トナー像を用紙上に定着する定着装置において、ブリスターと呼ばれる画像欠陥が発生するのを防止可能とした定着装置を提供することに請求項１に記載された発明は、複数本のローラによって張架された加熱用の第１のベルトと、複数本のローラによって張架された加圧用の第２のベルトによって、トナー画像を担持した記録媒体を挟持した状態で搬送しつつ、定着ニップ部の通過後からトナー画像が冷却されるまでの間、記録媒体と第１のベルトが密着した状態を維持して、記録媒体上に担持されたトナー画像を定着する定着装置であって、前記第２のベルトの記録媒体の剥離位置から定着ニップ部までの間に、当該第２のベルトを冷却する冷却手段を設けるように構成したものである。
【０００９】
また、請求項２に記載された発明は、前記第２のベルトの定着ニップ部突入時の温度が、９０℃以下となるように設定したものである。
【００１０】
さらに、請求項３に記載された発明は、前記冷却手段が、第２のベルトを強制的に冷却する冷却ファンからなるように構成したものである。
【００１１】
又、請求項４に記載された発明は、前記冷却手段が、第２のベルトに接触して冷却するヒートシンクからなるように構成したものである。
【００１２】
更に、請求項５に記載された発明は、複数本のローラによって張架された加熱用の第１のベルトと、複数本のローラによって張架された加圧用の第２のベルトによって、トナー画像を担持した記録媒体を挟持した状態で搬送しつつ、定着ニップ部の通過後からトナー画像が冷却されるまでの間、記録媒体と第１のベルトが密着した状態を維持して、記録媒体上に担持されたトナー画像を定着する定着装置であって、前記第２のベルトの熱容量を、前記第１のベルトの熱容量よりも大きく設定するように構成したものである。
【００１３】
【発明の実施の形態】
以下に、この発明の実施の形態について図面を参照して説明する。
【００１４】
実施の形態１
図２はこの発明の実施の形態１に係る定着装置を適用したカラー画像形成装置を示す構成図である。
【００１５】
このカラー画像形成装置１には、図示しないパーソナルコンピュータ等のホストコンピュータから送られてくるカラー画像情報や、図示しない原稿読取装置によって読み取られたカラー原稿のカラー画像情報などが入力される。そして、上記カラー画像形成装置１では、入力されたカラー画像情報に対し、画像処理装置２により、必要に応じて、シェーデイング補正、位置ズレ補正、明度／色空間変換、ガンマ補正、枠消し、色／移動編集等の所定の画像処理が施される。
【００１６】
そして、上記の如く画像処理装置２で所定の画像処理が施された画像データは、イエロー（Ｙ）、マゼンタ（Ｍ）、シアン（Ｃ）、ブラック（ＢＫ）（各８ｂｉｔ）の４色の色材階調データとしてＲＯＳ３（Ｒａｓｔｅｒ  Ｏｕｔｐｕｔ  Ｓｃａｎｎｅｒ）に送られ、このＲＯＳ３では、原稿色材階調データに応じてレーザー光による画像露光が行われる。
【００１７】
上記カラー画像形成装置１の内部には、色の異なる複数のトナー像を形成可能な画像形成手段Ａが配設されている。この画像形成手段Ａは、主として、静電潜像が形成される像担持体としての感光体ドラム７と、前記感光体ドラム７の表面を所定の電位に一様に帯電する帯電装置としてのスコロトロン８と、前記感光体ドラム７の表面に画像露光を施す画像露光手段としてのＲＯＳ３と、前記感光体ドラム７上に形成された静電潜像を現像して色の異なる複数のトナー像を形成可能な現像手段としてのロータリー方式の現像装置９とから構成されている。
【００１８】
上記ＲＯＳ３は、図２に示すように、図示しない半導体レーザーを原稿再現色材階調データに応じて変調し、この半導体レーザーからレーザー光ＬＢを階調データに応じて出射する。この半導体レーザーから出射されたレーザー光ＬＢは、回転多面鏡４によって偏向走査され、ｆ・θレンズ５及び反射ミラー６を介して像担持体としての感光体ドラム７上に走査露光される。
【００１９】
上記ＲＯＳ３によってレーザー光ＬＢが走査露光される感光体ドラム７は、図示しない駆動手段によって矢印方向に沿って所定の速度で回転駆動されるようになっている。この感光体ドラム７の表面は、予め一次帯電用の帯電装置としてのスコロトロン８によって、所定の極性（例えば、マイナス極性）及び電位に帯電された後、原稿再現色材階調データに応じてレーザー光ＬＢが走査露光されることによって静電潜像が形成される。上記感光体ドラム７上に形成された静電潜像は、イエロー（Ｙ）、マゼンタ（Ｍ）、シアン（Ｃ）、ブラック（ＢＫ）の４色の現像器９Ｙ、９Ｍ、９Ｃ、９ＢＫを備えたロータリー方式の現像装置９によって、例えば、感光体ドラム７の帯電極性と同極性のマイナス極性に帯電したトナー（帯電色材）によって反転現像され、所定の色のトナー像となる。上記ロータリー方式の現像装置９の各現像器９Ｙ、９Ｍ、９Ｃ、９ＢＫでは、例えば、平均粒径が５．５μｍの球形トナーが用いられる。尚、上記感光体ドラム７上に形成されたトナー像は、必要に応じて転写前帯電器１０によってマイナス極性の帯電を受け、電荷量が調整されるようになっている。
【００２０】
上記感光体ドラム７上に形成された各色のトナー像は、当該感光体ドラム７の下部に配置された中間転写体としての中間転写ベルト１１上に、第１の転写手段としての一次転写ロール１２によって多重に転写される。この中間転写ベルト１１は、駆動ロール１３、従動ロール１４ａ、テンションロール１４ｂ及び二次転写手段の一部を構成する対向ロールとしてのバックアップロール１５によって、感光体ドラム７の周速と同一の移動速度で矢印方向に沿って回動可能に支持されている。
【００２１】
上記中間転写ベルト１１上には、形成する画像の色に応じて、感光体ドラム７上に形成されるイエロー（Ｙ）、マゼンタ（Ｍ）、シアン（Ｃ）、ブラック（ＢＫ）の４色のすべて又はその一部のトナー像が、一次転写ロール１２によって順次重ね合わせた状態で転写される。この中間転写ベルト１１上に転写されたトナー像は、所定のタイミングで二次転写位置へと搬送される記録媒体としての記録用紙１６上に、中間転写ベルト１１を支持するバックアップロール１５と、当該バックアップロール１５に圧接する第２の転写手段の一部を構成する二次転写ロール１７の圧接力及び静電吸引力によって転写される。上記記録用紙１６は、図２に示すように、カラー画像形成装置１内の下部に配置された転写用紙収容部材としての給紙カセット１８から、所定のサイズのものがフィードロール１８ａによって給紙される。給紙された記録用紙１６は、複数の搬送ロール２２及びレジストロール２３によって、所定のタイミングで中間転写ベルト１１の二次転写位置まで搬送される。そして、上記記録用紙１６には、上述したように、２次転写手段としてのバックアップロール１５と二次転写ロール１７とによって、中間転写ベルト１１上から所定の色のトナー像が一括して転写されるようになっている。
【００２２】
また、上記中間転写ベルト１１上から所定の色のトナー像が転写された記録用紙１６は、中間転写ベルト１１から分離された後、搬送ベルト２４によって定着装置２５へと搬送され、この定着装置２５によって熱及び圧力でトナー像が記録用紙１６上に定着され、片面複写の場合には、そのまま機外に排出されてカラー画像の形成工程が終了する。
【００２３】
一方、両面複写の場合には、第１面（表面）にカラー画像が形成された記録用紙１６を、そのまま機外に排出せずに、図示しない反転ゲートによって下向きに搬送方向が変更され、３つのロールが圧接されたトリロール２７及び反転ロール２８によって、反転通路２９へと一旦搬送される。そして、上記記録用紙１６は、今度は逆転する反転ロール２８によって両面用通路３０へと搬送され、この両面用通路３０に設けられた搬送ロール３１によってレジストロール２３まで一旦搬送されて停止する。記録用紙１６は、中間転写ベルト１１上のトナー像と同期して、再度レジストロール２３によって搬送が開始され、当該記録用紙１６の第２面（裏面）に対してトナー像の転写・定着工程が行われた後、機外に排出されるようになっている。
【００２４】
なお、図２中、３２は転写工程が終了した後の感光体ドラム７の表面から残留トナーや紙粉等を除去するためのクリーニング装置、３３は中間転写ベルト１１の清掃を行うための中間転写ベルト用クリーナー、３４は手差しトレイ、３５はイエロー（Ｙ）、マゼンタ（Ｍ）、シアン（Ｃ）、ブラック（ＢＫ）の各色のトナーを収容したトナーカートリッジをそれぞれ示している。
【００２５】
ところで、この実施の形態に係る定着装置は、複数本のローラによって張架された加熱用の第１のベルトと、複数本のローラによって張架された加圧用の第２のベルトによって、トナー画像を担持した記録媒体を挟持した状態で搬送しつつ、定着ニップ部の通過後からトナー画像が冷却されるまでの間、記録媒体と第１のベルトが密着した状態を維持して、記録媒体上に担持されたトナー画像を定着するように構成されている。
【００２６】
図１は、この発明の実施形態１に係る定着装置を示すものである。この定着装置は、図２に示すカラー画像形成装置１の定着装置２５の代わりに使用しても良いが、この発明の実施形態１に係る定着装置は、非常に高速の定着装置であり、図３に示すように、当該定着装置を備えた定着ユニットとして構成しても良い。
【００２７】
上記定着ユニットとしては、図３に示すように、カラー画像形成装置１等から排出される一旦定着済みの記録用紙や、未定着状態の記録用紙１６が導入される導入口５１を備えており、この導入口５１の内部には、記録用紙１６の搬送路を切り替える切替ゲート５２が設けられている。上記カラー画像形成装置１から排出される記録用紙１６に対して、二次定着を施さず、そのまま外部の第１の排出トレイ上に排出する場合には、切替ゲート５２によって搬送路が上方の第１の搬送路５３に切り替えられ、排出ロール５４によって第１の排出トレイ５５上に排出される。また、カラー画像形成装置１から排出される記録用紙１６に対して、二次定着処理を施すか、あるいはカラー画像形成装置１で定着されていない記録用紙１６に対して、定着を処理を施す場合には、切替ゲート５２によって搬送路が下方の第２の搬送路５６に切り替えられ、複数の搬送ロール５７によって、ベルト式定着装置５８に搬送され、当該ベルト式定着装置５８により定着処理を受けて、排出ロール５９によって第２の排出トレイ６０上に排出される。
【００２８】
この定着装置５８は、図１に示すように、定着ローラ６１と、当該定着ローラ６１を含む複数のローラ６２〜６８により回動可能に張架された第１のベルトとしての定着ベルト６９と、加圧ローラ７０と、当該加圧ローラ７０を含む複数のローラ７１〜７４により回動可能に張架された第２のベルトとしての加圧ベルト７５とを備えている。上記定着ローラ６１と加圧ローラ７０は、定着ベルト６９と加圧ベルト７５を介して互いに圧接することにより、記録用紙１６の搬送方向の入口側の端部に、定着ニップ部７６を形成するように配設されている。
【００２９】
また、上記定着ベルト６９と加圧ベルト７０は、定着ニップ部７６から剥離位置７７の近傍まで、互いに接触した状態で走行し、これら定着ベルト６９と加圧ベルト７５の間に、トナー画像を担持した記録媒体１６を挟持した状態で搬送しつつ、定着ニップ部７６の通過後からトナー画像が冷却されるまでの間、記録媒体１６と第１のベルト６９が密着した状態を維持して、記録媒体１６上に担持されたトナー画像を定着するように構成されている。
【００３０】
上記定着ローラ６１としては、例えば、図４に示すように、アルミニウムやステンレス等からなる金属製コア７８の表面に、シリコンゴム等からなる弾性体層７９を所定の厚さに被覆して、所定の外径（例えば、５０ｍｍ）に形成したものが用いられる。この定着ローラ６１の内部には、加熱源として例えば５００〜１０００Ｗのハロゲンランプ８０が２本配設されており、ウオームアップ時に、当該定着ローラ６１の表面温度が所定の温度（１４０℃〜１５０℃程度）となるように内部から加熱される。
【００３１】
また、上記加圧ローラ７０としては、例えば、図４に示す定着ローラ６１と同様に構成したものが用いられ、アルミニウムやステンレス等からなる金属製コア７８の表面に、シリコンゴム等からなる弾性体層７９を所定の厚さに被覆して、所定の外径（例えば、５０ｍｍ）に形成したものが用いられる。この加圧ロール７０の内部には、加熱源として例えば３００〜３５０Ｗのハロゲンランプ８０が２本配設されており、ウオームアップ時に、当該加圧ロール７０の表面温度が所定の温度（７０℃〜８０℃程度）となるように内部から加熱される。
【００３２】
そして、上記定着ローラ６１と加圧ローラ７０は、定着ベルト６９と加圧ベルト７０を介して、図示しない加圧手段により、７５ｋｇ〜２００ｋｇの荷重で互いに圧接するように構成されている。
【００３３】
さらに、上記定着ベルト６９は、定着ローラ６１と、小径の剥離ローラ６２と、アイドラーローラ６３、６４と、第１の加熱ローラ６５と、ウオーク制御ローラを兼ねる第２の加熱ローラ６６と、２本のアイドラーローラ６７、６８からなる複数のローラにより回動可能に支持されており、図示しない駆動源によって回転駆動される定着ローラ６１により、所定の高速度（例えば、３５０ｍｍ／ｓｅｃ）で回転駆動される。この定着ベルト６９としては、例えば、厚さ８０μｍのポリイミド製の無端状フィルム上に、厚さ５０μｍのシリコンゴム層を被覆し、必要に応じて、シリコンゴム層の上にフッ素ゴム等からなる離型層を設けたものが用いられる。また、上記定着ベルト６９は、定着ローラ６１から剥離ローラ６２との間において、定着ベルト６９と冷却用アルミ板８４との良好な接触を保つように、所定の曲率（例えば、曲率半径が９００ｍｍ程度）を持った状態で張架されており、定着ニップ部７６から剥離位置７７近傍までの間、加圧ベルト７５と密着した状態で走行するようになっている。更に、上記定着ベルト６９は、２本のアイドラーローラ６７、６８によって、定着ローラ６１と加圧ローラ７０とで形成される定着ニップ部７６への突入角度が略水平となり、当該定着ベルト６９の走行が安定するように構成されている。
【００３４】
また、上記定着ベルト６９は、走行する間に、第１の加熱ローラ６５と第２の加熱ローラ６６によって、定着時、所定の温度（１７０〜２００℃：例えば、１９０℃）に加熱されるようになっている。上記第１の加熱ローラ６５は、アルミニウム等からなる金属製コアによって形成されており、当該第１の加熱ローラ６５の内部には、加熱源としてハロゲンランプ８１が２本配設されており、定着時に、第１の加熱ローラ６５の表面が第２の加熱ローラ６６の表面温度よりも５℃程度低く加熱されるように構成されている。また、上記第２の加熱ローラ６６は、アルミニウム等からなる金属製コアの表面にテフロン（登録商標）を被覆して形成されており、当該第２の加熱ローラ６６の内部には、加熱源としてハロゲンランプ８２が３本配設されており、定着時に、第２の加熱ローラ６６の表面が所定の温度（１７０〜２００℃：例えば、１９０℃）に加熱されるようになっている。
【００３５】
なお、上記第２の加熱ローラ６６の表面には、クリーニングウエブ等のクリーニング部材を設けるように構成しても良い。
【００３６】
一方、上記第２のベルトとしての加圧ベルト７５は、加圧ローラ７０と、アイドラーローラ７１、７２、７３、７４からなる複数のローラにより回動可能に支持されており、図示しない駆動源によって回転駆動される加圧ローラ７０により、所定の高速度（例えば、３５０ｍｍ／ｓｅｃ）で回転駆動されるか、又は、定着ベルト６９に従動回転するように構成されている。この加圧ベルト７５としては、例えば、厚さ８０μｍのポリイミド製の無端状フィルム上に、厚さ５０μｍのシリコンゴム層を被覆し、当該シリコンゴム層の上にシリコン樹脂等からなる離型層を被覆したものが用いられている。また、上記加圧ベルト７５は、ウオームアップ時に、加圧ローラ７０によって、所定の温度（７０〜８０℃）に加熱されるようになっている。
【００３７】
また、上記定着ベルト６９の内面側には、定着ロール６１と剥離ロール６２との間に、当該定着ベルト６４を強制的に冷却する熱循環器８３の冷却域を構成する冷却用のアルミ板８４が配設されており、この冷却用のアルミ板８４によって定着ベルト６９及び記録用紙１６の冷却、並びに記録用紙１６の搬送を行う冷却・用紙搬送部が形成されている。そして、上記定着ベルト６９は、剥離ロール６２付近において、７０〜９０℃程度まで冷却される。
【００３８】
さらに、上記熱循環器８３の冷却域を構成する冷却用のアルミ板８４は、複数本の側面矩形状のループを形成するヒートパイプ８５を介して、アイドラーローラ６４と第１の加熱ロール６５との間に配設された、定着ベルト６９を予熱する熱循環器の熱戻し域を構成する予熱用のアルミ板８６と、熱の授受が可能となるように接続されている。そして、上記熱循環器８３では、冷却域を構成する冷却用のアルミ板８４で、定着ベルト６４からの熱を吸収するとともに、当該冷却用のアルミ板８４が吸収した熱量を、ヒートパイプ８５を介して、熱循環器８３の熱戻し域を構成する予熱用のアルミ板８６に伝達し、当該予熱用のアルミ板８６によって定着ベルト６９を予熱するように構成されている。なお、上記ヒートパイプ８５の本数や性能は、適宜設定される。
【００３９】
ところで、この実施の形態に係る定着装置では、上記の構成に加えて、前記第２のベルトの記録媒体の剥離位置から定着ニップ部までの間に、当該第２のベルトを冷却する冷却手段を設けるように構成されている。
【００４０】
すなわち、この実施の形態に係る定着装置５８では、図１に示すように、第２のベルトとしての加圧ベルト７５を張架する複数のローラのうち、剥離位置の近傍に位置するアイドラーローラ７２と、定着ニップ部７６の近傍に位置するアイドラーローラ７３との間が、略水平に張架されており、この略水平に張架された加圧ベルト７５の表面近傍には、当該加圧ベルト７５を強制的に冷却する冷却手段としての冷却ファン９０が配設されている。この冷却ファン９０は、剥離位置７７から定着ニップ部７６までに移動する間の加圧ベルト７５に、強制的に冷たい空気Ａを送ることによって、加圧ベルト７５を例えば９０℃以下の温度に冷却するものである。なお、図示例では、冷却ファン９０が加圧ベルト７５の表面に沿って冷たい空気Ａを送るように配設されているが、当該冷却ファン９０は、加圧ベルト７５の表面に垂直に冷たい空気Ａを送るように配設しても勿論よい。また、上記冷却ファン９０は、基本的に、定着動作時にのみ駆動される。
【００４１】
以上の構成において、この実施の形態に係る定着装置では、次のようにして、、予め加熱された第１のベルトと第２のベルトで用紙を挟持しつつ搬送することにより、未定着トナー像を用紙上に定着する定着装置において、ブリスターと呼ばれる画像欠陥が発生するのを防止することが可能となっている。
【００４２】
すなわち、この実施の形態に係る定着装置５８では、図１に示すように、ウオームアップ時に、定着ベルト６９が遅い速度で回転移動しながら、定着ローラ６１と加圧ローラ７０と第１の加熱ローラ６５、第２の加熱ローラ６６によって、所定の温度（７０〜１００℃）に予め加熱されるようになっている。そして、この定着装置５８では、定着時に、第１の加熱ローラ６５と第２の加熱ローラ６６によって所定温度（１７０〜２００℃：例えば、１９０℃）に加熱されるとともに、速い速度（３５０ｍｍ／ｓｅｃ）で回転移動し、定着ローラ６１と加圧ローラ７０のニップ部７６でトナー画像が転写された記録用紙１６を、定着ベルト６９と加圧ベルト７５とによって挟持した状態で、記録用紙１６上のトナーをトナー融点以上に加熱・溶融し、トナー画像を記録用紙１６上に定着する。
【００４３】
更に説明すると、上記定着装置５８では、図１に示すように、表面にカラートナー画像が転写・定着された記録用紙１６が、定着ロール６１と当該定着ロール６１に定着ベルト６９及び加圧ベルト７５を介して圧接する加圧ロール７０との圧接部７６（ニップ部）に、カラートナー画像が定着ロール６１側に位置するようにして導入され、上記定着ロール６１と加圧ロール７０との圧接部７６を通過する間に、カラートナー画像が記録用紙１６上に加熱溶融されて定着される。その際、上記記録用紙１６の表面に形成されたトナー画像は、加熱されて軟化し、定着ベルト６９の表面に密着した状態となり、当該定着ベルト６９の表面が写し取られ（レプリカが形成され）、高い光沢を有する画像となる。
【００４４】
その後、上記定着ベルト６９は、記録用紙１６と共に、冷却域において、熱循環器６３の冷却用のアルミ板６４で冷却され、所定温度以下まで温度が低下した後、剥離ロール６２が位置する剥離位置で記録用紙１６が剥離される。その後、定着ベルト６９は、熱循環器の予熱用のアルミ板８６に接触することで、予備加熱された後、第１の加熱ローラ６５に戻る。
【００４５】
一方、加圧ベルト７５は、図１に示すように、用紙１６が剥離された後、冷却ファン９０からの送風によって、剥離温度より低い所定温度（９０℃以下の温度）まで冷却されて、定着ローラ６１と加圧ローラ７０が圧接する定着ニップ部７６に戻るようになっている。
【００４６】
このように、上記実施の形態では、加圧ベルト７５が用紙１６の剥離が終了した後、冷却ファン９０からの送風によって、剥離温度より低い所定温度（９０℃以下の温度）まで冷却されて、定着ニップ部７６に戻るように構成されているため、定着ニップ部７６内でトナーが溶融した後、定着ニップ部７６を通過した直後の記録用紙１６及びトナー画像を、加圧ベルト７５によって素早く冷却することができ、記録用紙１６中等に水蒸気が発生する１００℃（大気圧での水の沸点）よりも低い温度となる。そのため、上記定着装置５８では、定着ニップ部７６を通過した直後の記録用紙１６及びトナー画像の温度が高温であるために発生するブリスターを防止することが可能となる。
【００４７】
実施の形態２
図５はこの発明の実施の形態２を示すものであり、前記実施の形態と同一の部分には同一の符号を付して説明すると、この実施の形態２では、複数本のローラによって張架された加熱用の第１のベルトと、複数本のローラによって張架された加圧用の第２のベルトによって、トナー画像を担持した記録媒体を挟持した状態で搬送しつつ、定着ニップ部の通過後からトナー画像が冷却されるまでの間、記録媒体と第１のベルトが密着した状態を維持して、記録媒体上に担持されたトナー画像を定着する定着装置であって、前記第２のベルトの熱容量を、前記第１のベルトの熱容量よりも大きく設定するように構成されている。
【００４８】
すなわち、この実施の形態２に係る定着装置５８は、図５に示すように、加圧ベルト７５を強制的に冷却する冷却ファンを設けるのではなく、当該加圧ベルト７５の熱容量が、定着ベルト６９の熱容量よりも大きくなるように設定したものである。
【００４９】
上記加圧ベルト７５は、前述したように、例えば、ポリイミド製の無端状フィルム上に、シリコンゴム層を被覆し、当該シリコンゴム層の上にシリコン樹脂等からなる離型層を被覆して構成されている。そのため、この加圧ベルト７５の熱容量を、定着ベルト６９の熱容量よりも大きく設定するには、基材層であるポリイミド製の無端状フィルムの厚さや、弾性体層であるシリコンゴム層の厚さを厚く設定したり、これらポリイミド製の無端状フィルムや、シリコンゴム層中に、充填材を充填することにより材質を変える手段が挙げられる。
【００５０】
そこで、本発明者らは、図１に示すような定着装置５８を試作し、加圧ベルト７５として、基材層であるポリイミド製の無端状フィルムや、弾性体層であるシリコンゴム層の厚さや材質を異ならせることにより、定着ベルト６９に対して、熱容量が０．８倍、１．２倍、１．８倍となるものを用いて、ブリスターの発生状況を評価する実験を行なった。
【００５１】
図６は上記実験の結果を示すものである。ここで、図６中、○はブリスターが発生しなかったものを、△はブリスターが発生したが実使用上問題のないレベルであったものを、×は明らかにブリスターが発生したものをそれぞれ示している。
【００５２】
この図６から明らかなように、加圧ベルト７５の熱容量を変化させて、なお且つ加圧ベルト７５の定着ニップ部７６突入時の温度を変化させた場合、加圧ベルト７５の熱容量を定着ベルト６９よりも大きく設定することによって、ブリスターの発生を防止できるか、ブリスターの発生を実使用上問題のないレベルまで低減できることがわかる。
【００５３】
また、図６から明らかなように、加圧ベルト７５の熱容量を定着ベルト６９よりも大きく設定した場合であっても、加圧ベルト７５の定着ニップ部７６突入時の温度が、９０℃以下でないと、ブリスターが発生してしまうことがわかった。
【００５４】
その他の構成及び作用は、前記実施の形態１と同様であるので、その説明を省略する。
【００５５】
【発明の効果】
以上説明したように、この発明によれば、予め加熱された第１のベルトと第２のベルトで用紙を挟持しつつ搬送することにより、未定着トナー像を用紙上に定着する定着装置において、ブリスターと呼ばれる画像欠陥が発生するのを防止可能とした定着装置を提供することができる。
【図面の簡単な説明】
【図１】図１はこの発明の実施の形態１に係る定着装置を示す構成図である。
【図２】図２はこの発明の実施の形態１に係る定着装置を適用し得るカラー画像形成装置を示す構成図である。
【図３】図３はこの発明の実施の形態１に係る定着装置を適用した定着ユニットを示す構成図である。
【図４】図４は定着ローラを示す断面構成図である。
【図５】図５はこの発明の実施の形態２に係る定着装置を示す構成図である。
【図６】図６は実験結果を示す図表である。
【図７】図７は従来の定着装置におけるブリスターと呼ばれる画像欠陥の発生状態を示す模式図である。
【符号の説明】
１６：記録媒体、６９：定着ベルト（第１のベルト）、７５：加圧ベルト（第２のベルト）、７６：定着ニップ部、８４：冷却用アルミ板、９０：冷却ファン（冷却手段）。
【図１】
2004205673.tif 000003
【図２】
2004205673.tif 000004
【図３】
2004205673.tif 000005
【図４】
2004205673.tif 000006
【図５】
2004205673.tif 000007
【図６】
2004205673.tif 000008
【図７】
2004205673.tif 000009